(57)【要約】      （修正有）【課題】屋根からの落雪を防止するとともに、屋根を流れる水を排水パイプを介して排水することができる屋根構造を提供する。【解決手段】屋根構造１は、水平方向Ｘに対して傾斜する屋根パネル１１と、屋根パネル１１に設けられた複数の突条体１２とを備える。突条体１２は、勾配方向Ｙへ離間して、交差方向Ｘへ延び、互いにほぼ平行となるように配置される。屋根パネル１１の交差方向Ｘにおける中央部分には、勾配方向Ｙへ延びる流通路が形成される。突条体１２は、流通路を挟んでその両側に配置され、屋根パネル１１の先端縁１１Ｂからの離間寸法は、反対端１２Ｂに比べて通路端１２Ａの方が小さく、反対端１２Ｂから通路端１２Ａに向かって下がるように傾斜する。流通路には屋根パネル１１を貫通する開口部１６を設ける。開口部１６には、集水体を介して排水パイプ１７が連結される。【選択図】図１
0003192707.tif 000002
【実用新案登録請求の範囲】
【請求項１】
水平方向に対して傾斜する屋根パネルと、前記屋根パネルの勾配方向に対して交差する方向へ延びるとともに、前記勾配方向へ離間して配置される複数の突条体とを備える屋根構造であって、
前記勾配方向へ延びる流通路と、前記流通路に設けられるとともに前記屋根パネルを貫通する開口部と、前記開口部に接続された排水パイプとを備え、
複数の前記突条体は、前記流通路まで延びる通路端と、その反対の反対端とを有し、前記反対端に比べて前記通路端の高さ方向における位置が低いことを特徴とする屋根構造。
【請求項２】
前記開口部と前記排水パイプとを接続する集水体をさらに備え、
前記集水体は、前記開口部と同じ断面形状を有する第１環状部と、前記排水パイプと同じ断面形状を有する第２環状部とを有することを特徴とする請求項１記載の屋根構造。
【考案の詳細な説明】
【技術分野】
【０００１】
この考案は、屋根からの落雪を防止するとともに、屋根を流れる水を排水パイプを介して排水する屋根構造に関する。
【背景技術】
【０００２】
従来、屋根からの落雪を防ぐ屋根構造が知られている。特許文献１によれば、複数の雪止め用立上部を屋根板に取付けた屋根構造が開示される。雪止め用立上部は屋根の勾配方向に直交して延びるとともに、屋根板に対して垂直に起立する垂直部分を有する。したがって、屋根の上に積雪があった場合であっても、雪は雪止め用立上部で止められるから落雪することがない。
【先行技術文献】
【特許文献】
【０００３】
【特許文献１】実用新案登録第３０２２１２７号公報
【考案の概要】
【考案が解決しようとする課題】
【０００４】
しかしながら、特許文献１によれば、雪止め用立上部は、両端部が屋根板の両側縁にまで延びている。したがって、雪解け水や雨水は、複数の雪止め用立上部のそれぞれを伝って、屋根板の両側縁から地面へと流れ落ちていた。豪雨の際には、勢いよく両側縁から雨水が流れるため、その雨水が両側縁から遠位へと飛び出し、隣家へと放出されてしまうという問題があった。また、気温の低い季節には、雪止め用立上部の両端部から落下する水がつららとなり、軒下を歩く人にとって危険であるという問題もあった。
【０００５】
この考案では、屋根からの落雪を防止するとともに、屋根を流れる水を排水パイプを介して排水することができる屋根構造を提供することを課題とする。
【課題を解決するための手段】
【０００６】
この考案は、水平方向に対して傾斜する屋根パネルと、前記屋根パネルの勾配方向に対して交差する方向へ延びるとともに、前記勾配方向へ離間して配置される複数の突条体とを備える屋根構造であって、前記勾配方向へ延びる流通路と、前記流通路に設けられるとともに前記屋根パネルを貫通する開口部と、前記開口部に接続された排水パイプとを備え、複数の前記突条体は、前記流通路まで延びる通路端と、その反対の反対端とを有し、前記反対端に比べて前記通路端の高さ方向における位置が低いことを特徴とする。
【０００７】
前記開口部と前記排水パイプとを接続する集水体をさらに備え、前記集水体は、前記開口部と同じ断面形状を有する第１環状部と、前記排水パイプと同じ断面形状を有する第２環状部とを有していてもよい。
【考案の効果】
【０００８】
この考案の屋根構造によれば、屋根パネルの勾配方向に対して交差する方向へ延びる突条体は、流通路まで延びる通路端とその反対の反対端とを備えるとともに、流通路には排水パイプが接続された開口部が形成されるので、突条体を伝う雨水等は流通路から開口部を介して排水パイプで排水される。したがって、屋根パネルの両側縁から隣家へと雨水が放出されることがなく、かつ、突条体の反対端においてつらら等が形成されることがない安全な屋根構造を提供することができる。
【図面の簡単な説明】
【０００９】
【図１】屋根構造の一実施形態を示す使用状態における斜視図。
【図２】図１のＩＩで囲んだ部分の拡大図。
【図３】図１のＩＩＩ-ＩＩＩ線断面拡大図の一部。
【図４】集水体の斜視図。
【考案を実施するための形態】
【００１０】
図１および図２を参照すれば、屋根構造１は、水平方向に対して傾斜する２枚の屋根パネル１１と、屋根パネル１１に設けられた複数の突条体１２とを備える。２枚の屋根パネル１１は、頂部において互いに当接する基端縁１１Ａと、その反対側にそれぞれ位置する先端縁１１Ｂと、これら基端縁１１Ａおよび先端縁１１Ｂの両側に位置する両側縁１１Ｃ，１１Ｃとを有する。屋根パネル１１の基端縁１１Ａおよび先端縁１１Ｂ間を繋ぐ方向を勾配方向Ｙとし、基端縁１１Ａおよび先端縁１１Ｂにほぼ平行な方向を交差方向Ｘとする。
【００１１】
複数の突条体１２は、交差方向Ｘへ延びるとともに勾配方向Ｙへ離間し、互いにほぼ平行となるように配置される。屋根パネル１１の交差方向Ｘにおける中央近傍には、勾配方向Ｙへ延びる流通路１５が形成される。突条体１２は、流通路１５を挟んで交差方向Ｘの両側に配置され、交差方向Ｘにおける一方の端部が流通路１５まで延びる通路端１２Ａと、その反対の他方の端部である反対端１２Ｂとを有する。反対端１２Ｂは屋根パネル１１の両側縁１１Ｃ，１１Ｃにそれぞれ位置する。屋根パネル１１の先端縁１１Ｂからの離間寸法は、反対端１２Ｂに比べて通路端１２Ａの方が小さく、反対端１２Ｂから通路端１２Ａに向かって下がるように傾斜する。したがって、突条体１２は、交差方向Ｘと平行ではなく、これと交差するように配置される。
【００１２】
流通路１５には少なくとも屋根パネル１１を貫通する開口部１６を設ける。開口部１６は、屋根パネル１１の先端縁１１Ｂから離間し、少なくとも突条体１２の一部の通路端１２Ａが開口部１６へ臨む。開口部１６の交差方向Ｘにおける寸法は、流通路１５と同じかそれよりも大きく、勾配方向Ｙにおける寸法は、特に規定はないが、この実施形態においては、突条体１２の勾配方向Ｙにおける離間寸法よりも小さくしている。開口部１６には、排水パイプ１７が連結される。排水パイプ１７の先端は図示しない排水溝まで延びる。
【００１３】
屋根パネル１１の両側縁１１Ｃには、勾配方向Ｙへ沿って延びるリブ１８を備える。リブ１８は、突条体１２の反対端１２Ｂに隣接し、屋根パネル１１の基端縁１１Ａから先端縁１１Ｂまで延びる。リブ１８は、屋根パネル１１から垂直方向の寸法が、突条体１２のそれと同じか、それよりも大きい。
【００１４】
図２を参照すれば、突条体１２は、屋根パネル１１に対して直角になるように起立する起立部１３と、起立部１３から先端縁１１Ｂに向かって屈曲する屈曲部１４とを備える。屈曲部１４は、屋根パネル１１とほぼ平行になるように形成される。
【００１５】
この実施形態において、最も先端縁１１Ｂに近い突条体１２の通路端１２Ａが開口部１６へ臨み、他の突条体１２よりも交差方向Ｘにおける寸法Ｄ１が小さい。すなわち他の突条体１２において、流通路１５を挟んで離間する寸法Ｄ２は、開口部１６の交差方向Ｘにおける寸法Ｄ１よりも小さく、勾配方向Ｙにおいて開口部１６の一部と通路端１２Ａが重なるように並ぶ。
【００１６】
図３および図４を参照すれば、開口部１６と排水パイプ１７との間には、集水体２０が取り付けられる。集水体２０は、開口部１６側に位置する第１環状部２１と、排水パイプ１７側に位置する第２環状部２２とを備える。第１環状部２１および第２環状部２２はいずれも環状を有している。この実施形態では、その断面が矩形であるが、円形であってもよいし、他の多角形であってもよい。
【００１７】
第１環状部２１は、第２環状部２２との連結部２０Ａからその反対側の第１開口端２１Ａに向かって、その断面積が広くなるとともに、第１開口端２１Ａは、その内側に向かう折り曲げ部２１Ｂが形成される。折り曲げ部２１Ｂは、開口部１６とほぼ同じ形状を有する。このような折り曲げ部２１Ｂを設けることによって、開口部１６に対して位置決めしやすく、これらの間を水密に維持しやすくすることができる。
【００１８】
第２環状部２２において、連結部２０Ａからその反対の第２開口端２２Ａに向かって、その断面積はほぼ等しく、第２開口端２２Ａは排水パイプ１７とほぼ相似形を有しわずかに小さい。したがって、第２開口端２２Ａにほぼ水密に排水パイプ１７を取付けることができる。第１環状部２１および第２環状部２２は、その一面において同一面を有するように形成される。第１環状部２１と第２環状部２２とが同一面を有することによって、建物の外壁等に沿って集水体２０を取付けやすい。
【００１９】
第１環状部２１の第１開口端２１Ａ近傍には、一方の面から他方の面へと延びる支持材２３が取り付けられる。支持材２３にはゴミが集水体２０内に侵入するのを防止する多孔部材２４が配置される。この実施形態において、支持材２３は、複数の棒部材によって構成され、これら棒部材の上に多孔部材２４を載せる。支持材２３としては、棒部材の他、多孔部材２４を載せて支持できるものであればこれに限定されるものではない。多孔部材２４は、落ち葉等のゴミを通過させることなく、水を通過させることができるものであればよい。例えば、ステンレス製メッシュ材や透液性人工芝材などを用いることができる。また、多孔部材２４を取り外し可能とすることによって、落ち葉などのゴミが多孔部材２４上に溜まったときでも、これを取り除きやすくすることができる。
【００２０】
集水体２０および排水パイプ１７の内部には、電熱線を入れることができる。電熱線は集水体２０および排水パイプ１７の全部に配置される必要はなく、少なくともその一部に配置されればよい。電熱線を配置することによって、集水体２０および排水パイプ１７内を流れる水の凍結を防止することができるとともに、屋根パネル１１上の積雪を溶かすこともできる。したがって、水が凍らない暖かい季節には、電熱線は不要である。
【００２１】
上記のような構成の屋根構造１において、降雪があった場合、雪は突条体１２で屋根パネル１１の勾配方向Ｙへの移動が規制されるから、屋根パネル１１から積もった雪が落ちるのを防ぐことができる。屋根パネル１１上に留まった雪は、室内から生じる熱で徐々に溶かすことができる。また、突条体１２の起立部１３および屈曲部１４によって空隙が形成され、この空隙には雪が入りにくいから、空気の溜まり部を作ることができ、この空気によって雪の融解をさらに促すことができる。
【００２２】
突条体１２は流通路１５に向かって、通路端１２Ａが反対端１２Ｂよりも下がるように傾斜しているから、融雪によって溶けた雪解け水や、降雨による雨水は、突条体１２を伝って流通路１５へと流れる。したがって、屋根パネル１１の両側縁１１Ｃ，１１Ｃから雨水等が流出することがなく、近隣へのトラブルやつらら等を予防することができる。さらに、屋根パネル１１の両側縁１１Ｃにはリブ１８が設けられているから、反対端１２Ｂからの水の落下をより確実に防止することができる。
【００２３】
最も先端縁１１Ｂに近い突条体１２以外の突条体１２は、流通路１５を介した離間寸法が開口部１６の交差方向Ｘにおける寸法よりも小さいので、通路端１２Ａまで導かれた雨水等が勾配方向Ｙへ落下すると、そのほとんどが開口部１６へと流入する。開口部１６に流入した雨水等は、集水体２０を介して排水パイプ１７へと流れる。集水体２０の第１環状部２１の断面積を大きくすることによって、開口部１６を大きくすることができ、雨水等を確実に排水パイプ１７へと導くことができる。
【００２４】
突条体１２は、流通路１５の交差方向Ｘの両側に設けることとしたので、流通路１５、集水体２０および排水パイプ１７は、交差方向Ｘの中央近傍に設けることができる。集水体２０および排水パイプ１７は、従来、屋根パネル１１の両側縁１１Ｃに配置されることが多かったが、このように両側縁１１Ｃに配置されると、住人の生活で生じる熱が伝わりにくく、かつ、風雨にさらされるのでこの中を流れる水が凍結しやすかった。しかし、この実施形態のように屋根パネル１１の中央近傍に設けることによって、熱が伝わりやすく凍結しにくくすることができる。また、集水体２０および排水パイプ１７に電熱線を配置した場合には、この熱を屋根パネル１１にも効率的に伝導することができ、より一層突条体１２に堆積した雪を融解しやすくすることができる。
【００２５】
排水パイプ１７は、排水溝まで延びるようにしている。したがって、地熱が排水パイプ１７を介して屋根パネル１１近傍まで導かれ、より一層屋根パネル１１に堆積した雪を融解することができる。
排水パイプ１７の先端は、排水溝に位置するようにしているが、雨水枡に位置するようにしてもよい。雨水枡に位置する場合には、より一層地熱が排水パイプ１７に伝導しやすい。
【００２６】
上記のような構成の屋根構造１によれば、屋根パネル１１の先端縁１１Ｂに雨どいを設ける必要がないので、建物の美観を損なうことがない。また、集水体２０は、屋根パネル１１の開口部１６に取り付けることにより、建物の外観に影響を与えることがなく、建物本来の美観を保つことができる。さらに、雨どいが積雪の重さ等によって破損した場合には、これを修繕する必要があるが、雨どいを用いることがないこの実施形態では、修繕の手間および費用が掛からない。
【００２７】
この実施形態において、流通路１５は、屋根パネル１１の交差方向Ｘ中央近傍に設けているが、いずれか一方またはその両方の側縁１１Ｃ近傍に設けるものであってもよい。例えば、屋根パネル１１の大きさや、形状等によって、流通路１５の位置は適宜変更可能である。ただし、突条体１２は流通路１５に向かって下がるように傾斜させることによって、突条体１２を流れる雨水を流通路１５に導くことができる。
【００２８】
突条体１２の最も先端縁１１Ｂ側に位置するものは、その通路端１２Ａが開口部１６に重なるように配置されるが、必ずしもこれらが重なる必要はない。すなわち、突条体１２よりも先端縁１１Ｂ側、換言すれば、勾配方向Ｙの下流側に開口部１６を配置することによって、突条体１２を伝った雨水等を開口部１６に導くことができる。
【００２９】
集水体２０および排水パイプ１７としては、銅やステンレス等、この技術分野において通常用いられる材料を用いることができるほか、屋根構造１を構成する各構成部材には、本明細書に記載されている材料のほかに、この種の分野において通常用いられている、各種の公知の材料を制限なく用いることができる。また、本考案の明細書および実用新案登録請求の範囲において、用語「第１」および「第２」は、同称の要素、位置等を単に区別するために用いられている。
【符号の説明】
【００３０】
１    屋根構造
１１    屋根パネル
１２    突条体
１２Ａ  通路端
１２Ｂ  反対端
１５    流通路
１６    開口部
１７    排水パイプ
２０    集水体
２１    第１環状部
２２    第２環状部
Ｙ    勾配方向
Ｘ    交差方向
【図１】
0003192707.tif 000003
【図２】
0003192707.tif 000004
【図３】
0003192707.tif 000005
【図４】
0003192707.tif 000006